(57)【要約】【課題】表示された機密情報の漏洩を防止するとともに、可搬性および利便性を向上させる。【解決手段】画像データを表示可能な情報表示部５と、情報表示部５へ画像データを表示する制御を行う表示制御部１０２と、利用者が触れることにより、利用者の体温による熱エネルギーを電力に変換し、変換した電力を表示制御部１０２に供給する電力供給部１１と、利用者が電力供給部１１に触れているか否かを判定する判定部１０１と、を備え、表示制御部１０２は、利用者が電力供給部１１に触れていないと判定された場合、情報表示部５に表示されている画像データを、機密性を有していない他の画像データに書き換えて表示する制御を行う。【選択図】        図４
2008292980.tif 000002
【特許請求の範囲】
【請求項１】
画像情報を表示可能な表示手段と、
前記表示手段へ前記画像情報を表示する制御を行う表示制御手段と、
利用者が触れることにより、前記利用者の体温による熱エネルギーを電力に変換し、変換した電力を前記表示制御手段に供給する電力供給手段と、
前記利用者が前記電力供給手段に触れているか否かを判定する判定手段と、を備え、
前記表示制御手段は、前記利用者が前記電力供給手段に触れていないと判定された場合、前記表示手段に表示されている前記画像情報を他の画像情報に書き換えて表示する制御を行うことを特徴とする情報表示装置。
【請求項２】
前記判定手段は、前記電力供給手段における電圧が所定の閾値より低下している場合に、前記利用者が前記電力供給手段に触れていないと判定することを特徴とする請求項１に記載の情報表示装置。
【請求項３】
前記利用者が前記電力供給手段に触れたことを検知する検知手段をさらに備え、
前記判定手段は、前記検知手段により一定時間検知されない場合に、前記利用者が前記電力供給手段に触れていないと判定することを特徴とする請求項１に記載の情報表示装置。
【請求項４】
前記利用者から前記情報表示装置の電源を投入するか切断するかの操作を受け付ける第１操作手段と、
前記表示制御手段は、前記第１操作手段により前記情報表示装置の電源を切断する旨の操作を受け付けた場合、前記表示手段に表示されている前記画像情報を他の画像情報に書き換えて表示する制御を行うことを特徴とする請求項１〜３のいずれか一つに記載の情報表示装置。
【請求項５】
前記判定手段により、前記利用者が前記電力供給手段に触れていないと判定された場合、前記画像情報の書き換えを行うか否かを選択可能な移行手段をさらに備え、
前記表示制御手段は、前記画像情報の書き換えを行わない旨が選択されている場合、利用者が前記電力供給手段に触れていないと判定された場合でも、前記画像情報を他の画像情報に書き換えない制御を行うことを特徴とする請求項１〜４のいずれか一つに記載の情報表示装置。
【請求項６】
前記表示手段に他の画像情報が表示されている際に、前記利用者が前記電力供給手段に触れていると判定された場合、前記利用者に対する利用者認証を行う認証手段をさらに備え、
前記表示制御手段は、前記認証手段による前記利用者認証が成功した場合、前記画像情報を前記表示手段に表示する制御を行うことを特徴とする請求項１〜５のいずれか一つに記載の情報表示装置。
【請求項７】
前記表示制御手段は、前記認証手段による前記利用者認証が成功しなかった場合、前記画像情報を前記表示手段に表示しない制御を行うことを特徴とする請求項６に記載の情報表示装置。
【請求項８】
利用者が触れることが可能な部位に設けられ、利用者の個体識別情報を取得する個体識別手段を更に備え、
前記認証手段は、取得した個体識別情報と予め登録された個体識別情報とを照合して、両者が一致するか否かを判断することにより前記利用者認証を行うことを特徴とする請求項７または８に記載の情報表示装置。
【請求項９】
前記電力供給手段は、
熱電対を多数配置された熱発電素子と、
前記利用者が触れることにより、前記利用者の体温を、前記熱発電素子との接点である温接点から、前記熱発電素子に伝達する熱伝導体と、
外気温度に近い温度を、前記熱発電素子との接点である冷接点から、前記熱発電素子に伝達するヒートシンクと、を備え、
前記熱発電素子は、前記熱伝導体と前記ヒートシンクとから伝達された温度差による熱エネルギーを電力に変換し、変換した電力を前記表示制御手段に供給することを特徴とする請求項１〜８のいずれか一つに記載の情報表示装置。
【請求項１０】
外部装置から前記画像情報を取得する操作を受け付ける第２操作手段と、
前記表示手段に表示された前記画像情報を書き換える旨の指示操作を受け付ける第３操作手段とをさらに備え、
前記第１操作手段と、前記第２操作手段と、前記第３操作手段とは、前記熱伝導体の配置位置に重畳して配置され、
前記熱伝導体は、前記第１操作手段と、前記第２操作手段と、前記第３操作手段を介して前記利用者が触れることにより、前記利用者の体温を前記温接点から前記熱発電素子に伝達することを特徴とする請求項９に記載の情報表示装置。
【請求項１１】
前記電力供給手段により変換された電力を充電する蓄電手段と、
前記表示制御手段に対する電力の供給を、前記蓄電手段から行うか、前記電力供給手段から行うかを切替える電源切替手段とをさらに備え、
前記電源切替手段は、前記蓄電手段の電圧と前記電力供給手段の電圧とを比較して、電圧の高い方から、前記表示制御手段に電力を供給することを特徴とする請求項１〜１０のいずれか一つに記載の情報表示装置。
【請求項１２】
情報表示装置で実行される情報表示方法において、
前記情報表示装置は、
画像情報を表示可能な表示手段と、
利用者が触れることにより、前記利用者の体温による熱エネルギーを電力に変換し、変換した電力を供給する電力供給手段と、を備え、
前記電力供給手段から電力を供給され、前記表示手段へ前記画像情報を表示する制御を行う表示制御ステップと、
前記利用者が前記電力供給手段に触れているか否かを判定する判定ステップと、
前記利用者が前記電力供給手段に触れていないと判定された場合、前記表示手段に表示されている前記画像情報を他の画像情報に書き換えて表示する制御を行う書換表示制御ステップと、
を含むことを特徴とする情報表示方法。
【請求項１３】
請求項１２に記載の情報表示方法をコンピュータに実行させるプログラム。
【発明の詳細な説明】
【技術分野】
【０００１】
本発明は、熱電変換を利用して変換された電力を供給して情報を表示する情報表示装置、情報表示方法、および情報表示プログラムに関する。
【背景技術】
【０００２】
近年、紙や電子デバイスの代替として情報表示装置（電子ペーパー）が取り上げられてきている。電子ペーパーは、１０分の数ミリ程度の厚さで、電気的な手段でデータの表示および消去が可能なディスプレイであり、紙同様に情報を保持したまま持ち歩くことができる。また、電子ペーパーは、画面内容を変化させる時にだけ電力を消費するため、電源を切っても画像データが表示された状態を維持でき、消費電力を極端に抑えることができる。
【０００３】
電子ペーパーでは、画面データの書き換えや画像データの消去等を行う場合には上述したように電力が必要となるため、バッテリを搭載したり、外部電源に接続して電力を供給している。
【０００４】
また、バッテリの他には、太陽電池を電力供給源として使用したものが示されている。例えば、バッテリの代わりとして、電子ペーパーに透明太陽電池を搭載した例が開示されている（特許文献１参照）。
【０００５】
【特許文献１】特開２００４−３１７７００号公報
【発明の開示】
【発明が解決しようとする課題】
【０００６】
しかしながら、電子ペーパーは、一旦画像データを表示させた後に、バッテリが切れたり、外部電源との接続が解除されると、電力が供給されなくなってしまい、画像データを表示した状態が維持されることになる。このように、画像データの表示が維持されると、電子ペーパーに表示された画像データを周囲の人に容易に覗かれる可能性があるため、機密性のある情報を取り扱うことできず、表示する情報の内容を制限しなければならなかった。また、機密性のある情報に関与する利用者に限定して画像データを表示することも困難となっていた。
【０００７】
従って、電子ペーパーに表示される画像データの機密性を保持するためには、電子ペーパーに電力を供給して表示された画像データを書き換えたり消去する必要がある。しかし、電子ペーパーにバッテリを搭載するとバッテリへの充電作業が必要となり、外部電源と接続するとその接続作業が必要となるため利便性が悪かった。また、電子ペーパーにバッテリを搭載すると電子ペーパーが重く大きくなるため、可搬性が悪いという問題があった。また、電子ペーパーでは、画像データの書き換えが頻繁に行われる場合、該書き換えに必要な容量をもつバッテリを搭載するしかなく、搭載するバッテリが大きくなると、電子ペーパーがさらに重く大きくなるため、可搬性がより悪くなってしまう。
【０００８】
また、特許文献１の技術のように、透明太陽電池を搭載した電子ペーパーは、環境条件の影響を受けやすく、屋内や夜間で使用した場合には電力を供給できず利便性が悪かった。
【０００９】
本発明は、上記に鑑みてなされたものであって、表示された機密情報の漏洩を防止するとともに、可搬性および利便性を向上させた情報表示装置、情報表示方法、および情報表示プログラムを提供することを目的とする。
【課題を解決するための手段】
【００１０】
上述した課題を解決し、目的を達成するために、請求項１にかかる発明は、画像情報を表示可能な表示手段と、前記表示手段へ前記画像情報を表示する制御を行う表示制御手段と、利用者が触れることにより、前記利用者の体温による熱エネルギーを電力に変換し、変換した電力を前記表示制御手段に供給する電力供給手段と、前記利用者が前記電力供給手段に触れているか否かを判定する判定手段と、を備え、前記表示制御手段は、前記利用者が前記電力供給手段に触れていないと判定された場合、前記表示手段に表示されている前記画像情報を他の画像情報に書き換えて表示する制御を行うことを特徴とする情報表示装置である。
【００１１】
また、請求項２にかかる発明は、請求項１に記載の情報表示装置において、前記判定手段は、前記電力供給手段における電圧が所定の閾値より低下している場合に、前記利用者が前記電力供給手段に触れていないと判定することを特徴とする。
【００１２】
また、請求項３にかかる発明は、請求項１に記載の情報表示装置において、前記利用者が前記電力供給手段に触れたことを検知する検知手段をさらに備え、前記判定手段は、前記検知手段により一定時間検知されない場合に、前記利用者が前記電力供給手段に触れていないと判定することを特徴とする。
【００１３】
また、請求項４にかかる発明は、請求項１〜３のいずれか一つに記載の情報表示装置において、前記利用者から前記情報表示装置の電源を投入するか切断するかの操作を受け付ける第１操作手段と、前記表示制御手段は、前記第１操作手段により前記情報表示装置の電源を切断する旨の操作を受け付けた場合、前記表示手段に表示されている前記画像情報を他の画像情報に書き換えて表示する制御を行うことを特徴とする。
【００１４】
また、請求項５にかかる発明は、請求項１〜４のいずれか一つに記載の情報表示装置において、前記判定手段により、前記利用者が前記電力供給手段に触れていないと判定された場合、前記画像情報の書き換えを行うか否かを選択可能な移行手段をさらに備え、前記表示制御手段は、前記画像情報の書き換えを行わない旨が選択されている場合、利用者が前記電力供給手段に触れていないと判定された場合でも、前記画像情報を他の画像情報に書き換えない制御を行うことを特徴とする。
【００１５】
また、請求項６にかかる発明は、請求項１〜５のいずれか一つに記載の情報表示装置において、前記表示手段に他の画像情報が表示されている際に、前記利用者が前記電力供給手段に触れていると判定された場合、前記利用者に対する利用者認証を行う認証手段をさらに備え、前記表示制御手段は、前記認証手段による前記利用者認証が成功した場合、前記画像情報を前記表示手段に表示する制御を行うことを特徴とする。
【００１６】
また、請求項７にかかる発明は、請求項６に記載の情報表示装置において、前記表示制御手段は、前記認証手段による前記利用者認証が成功しなかった場合、前記画像情報を前記表示手段に表示しない制御を行うことを特徴とする。
【００１７】
また、請求項８にかかる発明は、請求項７または８に記載の情報表示装置において、利用者が触れることが可能な部位に設けられ、利用者の個体識別情報を取得する個体識別手段を更に備え、前記認証手段は、取得した個体識別情報と予め登録された個体識別情報とを照合して、両者が一致するか否かを判断することにより前記利用者認証を行うことを特徴とする。
【００１８】
また、請求項９にかかる発明は、請求項１〜８のいずれか一つに記載の情報表示装置において、前記電力供給手段は、熱電対を多数配置された熱発電素子と、前記利用者が触れることにより、前記利用者の体温を、前記熱発電素子との接点である温接点から、前記熱発電素子に伝達する熱伝導体と、外気温度に近い温度を、前記熱発電素子との接点である冷接点から、前記熱発電素子に伝達するヒートシンクと、を備え、前記熱発電素子は、前記熱伝導体と前記ヒートシンクとから伝達された温度差による熱エネルギーを電力に変換し、変換した電力を前記表示制御手段に供給することを特徴とする。
【００１９】
また、請求項１０にかかる発明は、請求項９に記載の情報表示装置において、外部装置から前記画像情報を取得する操作を受け付ける第２操作手段と、前記表示手段に表示された前記画像情報を書き換える旨の指示操作を受け付ける第３操作手段とをさらに備え、前記第１操作手段と、前記第２操作手段と、前記第３操作手段とは、前記熱伝導体の配置位置に重畳して配置され、前記熱伝導体は、前記第１操作手段と、前記第２操作手段と、前記第３操作手段を介して前記利用者が触れることにより、前記利用者の体温を前記温接点から前記熱発電素子に伝達することを特徴とする。
【００２０】
また、請求項１１にかかる発明は、請求項１〜１０のいずれか一つに記載の情報表示装置において、前記電力供給手段により変換された電力を充電する蓄電手段と、前記表示制御手段に対する電力の供給を、前記蓄電手段から行うか、前記電力供給手段から行うかを切替える電源切替手段とをさらに備え、前記電源切替手段は、前記蓄電手段の電圧と前記電力供給手段の電圧とを比較して、電圧の高い方から、前記表示制御手段に電力を供給することを特徴とする。
【００２１】
また、請求項１２にかかる発明は、情報表示装置で実行される情報表示方法において、前記情報表示装置は、画像情報を表示可能な表示手段と、利用者が触れることにより、前記利用者の体温による熱エネルギーを電力に変換し、変換した電力を供給する電力供給手段と、を備え、前記電力供給手段から電力を供給され、前記表示手段へ前記画像情報を表示する制御を行う表示制御ステップと、前記利用者が前記電力供給手段に触れているか否かを判定する判定ステップと、前記利用者が前記電力供給手段に触れていないと判定された場合、前記表示手段に表示されている前記画像情報を他の画像情報に書き換えて表示する制御を行う書換表示制御ステップと、を含むことを特徴とする。
【００２２】
また、請求項１３にかかる発明は、請求項１２に記載の情報表示方法をコンピュータに実行させるプログラムである。
【発明の効果】
【００２３】
本発明によれば、利用者の体温による熱エネルギーを電力に変換する電力供給手段を備え、かつ利用者が電力供給手段に触れていない場合、画像情報を他の画像情報（機密性を有していない他の画像情報）に書き換えて表示するため、情報表示装置に表示された機密情報の漏洩を防止するとともに、可搬性および利便性を向上させるという効果を奏する。
【発明を実施するための最良の形態】
【００２４】
以下に添付図面を参照して、この発明にかかる情報表示装置、情報表示方法、および情報表示プログラムの最良な実施の形態を詳細に説明する。以下の実施の形態では、情報表示装置を電子ペーパーに適用した例を示す。なお、以下に示す実施の形態は、本発明にかかる情報表示装置を好適に実施するための一例であり、趣旨を逸脱しない範囲内において、構成、動作の変形実施が可能となっている。
【００２５】
本実施の形態における情報表示装置は、熱発電素子を利用した電力供給手段を有することを特徴とする。上記構成によれば、電源やバッテリ、外部電源からの電力供給なしに、また使用環境の影響なしに、電子ペーパーへの電力供給を可能とし、利用者の利便性と可搬性の向上効果を有する。
【００２６】
本発明に係る情報表示装置の他の好適な実施の形態として、熱発電素子を備えた電力供給手段を、利用者の体温を利用した構成とし、その温接点に接触するように人体からの熱を導くように熱伝導体を配置し、さらに冷接点に接するように外部と絶縁され温度変化を小さくしたヒートシンクを配置することで体温と外気温度の差を利用して発電を行い、そのエネルギーを電子ペーパーの動作電力に利用することを特徴とする。上記構成とすることで、利用者はバッテリや外部電源からの電力供給なしに、電子ペーパーの画面表示の書き換え等の電力を必要とする制御動作発生時に、必要とする電力を半永久的に供給可能とし、利用者の利便性と可搬性を向上させる。
【００２７】
本発明に係る情報表示装置の他の好適な実施の形態として、上記構成に加え、電力供給手段からの電力を利用して電子ペーパーの表示画像データの書き換えを指示するスイッチ（以下、ＳＷと称する。）を有することを可能とする。上記構成によれば、利用者の利便性を向上させる。
【００２８】
本発明に係る情報表示装置の他の好適な実施の形態として、上記構成に加え、電力供給手段からの電力を利用して、電子ペーパーのメモリデータの書き換えを指示するＳＷを有することを特徴とする。上記構成によれば、利用者の利便性を向上させる。
【００２９】
本発明に係る情報表示装置の他の好適な実施の形態として、上記構成に加え、画像データの書き換え等の制御動作に必要な電力を、熱電発電や充電器により供給可能か否かを利用者へ表示する機能を有することを特徴とする。上記構成によれば、利用者の利便性を向上させる。
【００３０】
上述した情報表示装置の好適な実施の形態において、利用者の体温を利用した熱電発電では、利用者が電子ペーパーを保持することで熱電発電が行われる。その為に利用者が持ってすぐの画像データ操作には電力発電供給が間に合わない場合がある。また熱電発電とバッテリを備えている電子ペーパーでもバッテリの電気が切れてしまっている場合もある。そこで本発明に係る情報表示装置の他の好適な実施の形態として、利用者に操作対応可否を示すことを特徴とする。上記構成によれば、利用者の利便性を向上させる。
【００３１】
本発明に係る情報表示装置の他の好適な実施の形態として、上記構成に加え、電力供給手段からの電力を利用して、電子ペーパーに表示される画像データを変更・スクロールする操作ＳＷを有することを特徴とする。上記構成によれば、利用者の利便性を向上させる。
【００３２】
本発明に係る情報表示装置の他の好適な実施の形態として、熱電発電より動作電力を確保することを特徴とする。上記構成によれば、画像の書き換えを選択可能とする。
【００３３】
本発明に係る情報表示装置の他の好適な実施の形態として、上記構成に加え、利用者の指示により表示される画像データを書き換えて表示するＳＷを有することを特徴とする。上記構成によれば、情報の機密性を高め、利便性を向上させる。
【００３４】
本発明に係る情報表示装置の他の好適な実施の形態として、上記構成に加え、電力供給手段からの電力供給により画像データの書き換えを可能とした電子ペーパーにおいて電子ペーパーの利用者の体温を利用した熱電発電では、機能別に操作ＳＷを設けて発熱部を分散させるようにすることを特徴とする。また、１つの固定箇所に配置した操作ボタンの操作のＯＮ／ＯＦＦ回数やＯＮ時間、間隔等により、制御動作機能を区別し動作制御することを特徴とする。上記構成によれば、熱電効率を良くし、電子ペーパーを持つ利用者の利便性を向上させる。
【００３５】
本発明に係る情報表示装置の他の好適な実施の形態として、上記構成に加え、利用者の触れる電力供給部において、指紋認証により利用者のデータ照会可否判定を行うことを特徴とする。上記構成において、利用者の体温により熱電発電を行っており、利用者の触れる箇所に指紋認証を行うセンサを配置し、登録指紋データとの照合により電子ペーパーの画像データを書き換えることを可能とし画像データの機密性を向上させる。同様に、ユーザコードのような暗証番号での照合を用いたシステムも考えられる。雑誌や新聞等の情報を電子データとして登録ユーザのみに配信するようなことが考えられる。そこで、利用者が持っていない電子ペーパーは一定時間の経過後に画像データを書き換え、利用者以外の人に画像データを見られることを防止することを可能とする。また、一定時間後の移行に対して移行動作の選択が可能なようにモード選択可能な構成と、利便性を向上させる。
【００３６】
本発明に係る情報表示装置の他の好適な実施の形態として、上記構成に加え、熱発電素子により変換された電力を蓄える蓄電部と電源切替回路を有することを特徴とする。上記構成によれば、画面の連続スクロール操作など大きな電力供給を必要とする場合に、蓄電部からの供給を可能として大きな電力を供給できる。
【００３７】
（実施の形態１）
本実施の形態にかかる電子ペーパーについて図１を用いて説明する。図１は、実施の形態１にかかる電子ペーパーの外観構成の一例を示す外観図である。
【００３８】
図１の外観図に示すように、電子ペーパーは、電源ＳＷ１と、ダウンロードＳＷ２と、スクロールＳＷ３と、電源状態表示部４と、情報表示部５とを備えた構成となっている。
【００３９】
電源ＳＷ１は、情報収集を開始する際に利用者により押下されるスイッチである。さらに、電源ＳＷ１は、利用者から電子ペーパーの電源を投入するか切断するかの操作を受け付ける際に押下されるスイッチである。
【００４０】
ダウンロードＳＷ２は、表示される画像データを外部装置等からダウンロードなどにより取得する操作を受け付ける際に利用者により押下されるスイッチである。
【００４１】
スクロールＳＷ３は、電子ペーパーに表示される画像データを書き換える旨の指示操作を受け付ける際に利用者により押下されるスイッチである。
【００４２】
電源状態表示部４は、利用者の体温から発生する熱エネルギーを電力に変換する場合における熱電発電レベルを表示しており、電子ペーパーにおける画像データの書き換えなどの動作制御の可否を示している。
【００４３】
情報表示部５は、画像データなどの情報を表示可能なディスプレイであり、一旦画像データが表示された場合は、電力の供給が停止しても画像データの表示状態を維持することが可能となっている。
【００４４】
次に、上述した電子ペーパーの内部構成について詳細に説明する。図２は、実施の形態１にかかる電子ペーパーの内部構成の一例を示す概略図である。
【００４５】
電力供給手段としての熱電発電部（電力供給部）１１（図３参照）は、ゼーベック効果を利用した熱電対を多数配置した熱発電素子６と、熱発電素子６と温接点１０で接する発電用の熱伝導体７と、熱発電素子６と冷接点９で接するヒートシンク８とを備え、熱発電素子６からの電力を電子ペーパーの制御部に供給している。
【００４６】
上述した電源ＳＷ１、ダウンロードＳＷ２、およびスクロールＳＷ３は、熱伝導体７の配置位置に併せて重畳して配置されて、熱伝導体７と接続されている。従って、熱伝導体７は、利用者により各ＳＷのキートップに触れられた場合における利用者から発生する体熱を、熱発電素子６の温接点１０へ効率良く伝えることで、熱発電素子６に体温を伝達する構成となっている。
【００４７】
ヒートシンク８は、情報表示部５（図１参照）の裏に配置されており、広い面積で配置されることで放熱効果を高め、温度的に安定して外気温度に近い低温度を熱発電素子６の冷接点９へ伝えることで、該低温度を熱発電素子６に伝達する構成となっている。
【００４８】
熱発電素子６は、利用者からの体熱と外気温度との温度差により発生する熱エネルギーを電力に変換し、変換した電力を電子ペーパーの制御部へ供給している。
【００４９】
次に、本実施の形態にかかる電子ペーパーの構成、動作、制御について、図３を用いて説明する。図３は、実施の形態１にかかる電子ペーパーのハードウェア構成の一例を示す図である。
【００５０】
図３に示すように、本実施の形態にかかる電子ペーパーは、熱電発電部（電力供給部）１１と、リセット回路１２と、ＣＰＵ１３と、記録制御回路１４と、情報表示部５と、メモリ部１６と、外部Ｉ／Ｆ回路部１７と、個体識別部１８と、比較回路１９と、電源ＳＷ１と、ダウンロードＳＷ２と、スクロールＳＷ３と、電圧表示部２２とを有して構成される。
【００５１】
電力供給部１１は、利用者が触れることによって、利用者の体温からの発した熱エネルギーが電力に変換されると、変換された電力を制御部へ供給される。
【００５２】
本実施の形態では、電子ペーパーに熱電発電を利用した電力供給手段を有し、バッテリや外部電源からの電力供給なしに、また使用環境の影響なしに、電子ペーパーへの電力供給を可能とできるので、電子ペーパーにおける利便性と可搬性を向上させることができる。
【００５３】
また、利用者が使用する際に、電子ペーパーを保持する手から伝わる体熱による熱電発電により、動作電力を得ることができるので、バッテリや外部電源からの電力供給なしに、電子ペーパーの画面表示の書き換えなど、制御動作発生時に必要とする電力を半永久的に供給することが可能となり、利用者の利便性と可搬性を向上させることができる。
【００５４】
リセット回路１２は、電力を供給された場合に、ある一定以上の電圧が検出されると解除動作を行い、制御部で初期リセット動作が行われ、電子ペーパーの制御部の動作が開始可能となる。
【００５５】
ここで、熱伝導体に接続配置されている電源ＳＷ１は、利用者が電子ペーパーを保持しながら容易に指で押下することができる位置に配置されており、電源ＳＷ１は、ＣＰＵ１３の入力ポートによりキー入力を認識する構成となっている。電源ＳＷ１が押下されたことをＣＰＵ１３で認識すると、電子ペーパーに表示された画像データの書き換え動作を行う。
【００５６】
メモリ部１６は、情報表示部５に表示する画像データを保存する記録媒体である。該画像データには、例えば、機密性を有する画像データや、機密性を有していない他の画像データがある。
【００５７】
記録制御回路１４は、ＣＰＵ１３からの命令により、メモリ部１６から表示する画像データを取得して、情報表示部５に表示された画像データの書き換え制御を行う。
【００５８】
電力供給部１１からの電力を利用して、電子ペーパーに表示される画像データの書き換えを指示するＳＷを有することで、利用者は画像データを読むという操作指示により画像データを書き換えて表示することが可能となり、周囲の人に容易に表示された画像データを覗かれることを防止するができる。
【００５９】
電子ペーパーは、電力の供給がなくても画像データを表示した状態を維持することが可能であるが、一方表示された画像データの書き換え時には電力の供給が必要である。
【００６０】
その為、従来の電子ペーパーでは、情報の機密性を両立することが難しかった。一方、本実施の形態にかかる電子ペーパーでは、ダウンロードＳＷ２に対する入力ポートにより、ＣＰＵ１３においてダウンロードＳＷ２への操作を認識可能な構成である。ダウンロードはＣＰＵ１３から外部Ｉ／Ｆ回路部１７を使用してメモリ部１６へ画像データの取得・更新を実施する。
【００６１】
また、電力供給部１１からの電力を利用して、電子ペーパーのメモリデータの書き換えを指示する新たなＳＷを備えることで、利用者はバッテリや外部電源へ接続して画像データの取得を行うことをせずに、メモリ更新を指示する該新たなＳＷを操作することで画像データの書き換え動作が容易となり、利用者に対して利便性を向上させることができる。
【００６２】
外部Ｉ／Ｆ回路部１７は、Ｉ／Ｆコネクタを介して電線により画像データの読み取り動作を行う他、ＲＦＩＤなどにあるような無線による利用も考えられる。スクロールＳＷ３に対する入力ポートにより、ＣＰＵ１３でスクロールＳＷ３への操作を認識可能な構成である。
【００６３】
ＣＰＵ１３は、記録制御回路１４へ命令し、メモリ部１６より画像データを取得して情報表示部５に表示された画像データの書き換え制御を行うことで表示される画像データの更新を行っている。
【００６４】
また、電力供給部１１からの電力を利用して、電子ペーパーに表示される画像データを変更・スクロールするスクロールＳＷ３を備えることで、利用者の指示により画像データの書き換えを行うことができ、利便性を向上させることができる。
【００６５】
ここで、各ＳＷに対する操作、および該操作による動作について説明する。例えば、ＳＷが押下されることによる入力信号を利用した制御手段は、１つのＳＷの押下する回数、押下するタイミングにより指示制御を識別化することで、ＳＷの数を集約することが可能である。
【００６６】
例えば、ＳＷの入力信号レベルを、ＣＰＵ１３でサンプリング取得し、ある一定周期時間におけるＯＮ／ＯＦＦ回数をカウントしている。
【００６７】
そして、ＯＮ／ＯＦＦカウント回数により、動作制御機能を識別することで、ＳＷの集約化を実現する。このように、ＳＷの数を集約することで、利用者は１箇所のＳＷを触りつづける時間が長くなり、熱電発電による電力供給をより安定させて供給することが可能となる。
【００６８】
利用者の体温を利用した熱電発電では、１つの固定箇所に配置した操作ボタンの操作のＯＮ／ＯＦＦ回数やＯＮ時間、間隔等により、制御動作機能を区別し動作制御することで、熱電効率を良くし、電子ペーパーの利便性を向上させることができる。
【００６９】
図３における比較回路１９は、電力供給部１１で発生した電力の電圧値と、制御動作可能な電圧値、すなわち予め定めた所定の閾値と比較するものである。そして、ＬＥＤ（Ｌｉｇｈｔ  Ｅｍｉｔｔｉｎｇ  Ｄｉｏｄｅ）が点灯動作により、制御動作可能な電圧値であるか否かのパワーレベルの表示を行っている。なお、本実施の形態では、ＬＥＤを一つ設けてパワーレベルの表示を行っているが、複数のＬＥＤを設け、各種操作に合わせて点灯および消灯可能にしてもよい。
【００７０】
ここで、熱電発電を利用した電力供給部１１では、利用者が触れることによる体熱（体温）により電力を発生させているため、起電力発生の時間遅延の発生が、環境条件などから懸念される。
【００７１】
従って、熱電発電レベルの表示手段を設け、利用者へ操作制御の動作可否を表示することで、利便性を向上させている。電圧値の表示については、ＬＥＤによる表示の他、情報表示部５を利用した表示等も考えられる。
【００７２】
画像データの書き換え等の制御動作に必要な電力を、熱電発電により供給可能か否かを、利用者に対して表示する機能を備えることで、利用者に画像データの書き換え等の動作の操作が可能か否かを示すことができ利便性を向上させることができる。
【００７３】
また、利用者が触れることが可能な部位、例えば、電力供給部１１に設けられた固体識別部１８は、電力供給部１１に触れた利用者の固体識別情報を取得し、取得した個体識別情報をＣＰＵ１３に送出する。そして、ＣＰＵ１３は、個体識別情報を認識することで画像データの開示の有無を判断し、電子ペーパーの情報表示部５に表示される画像データ等の情報の機密性をより確保することが可能となる。
【００７４】
個体識別情報には、利用者が電子ペーパーを保持することで同時に情報を得られる指紋認証や掌紋、ＱＲコード、暗証番号、ユーザコード等の手段を利用することが可能である。
【００７５】
利用者が触れる電力供給部１１において、指紋認証による利用者認証を可能にすることで、登録された指紋データとの照合により電子ペーパーの画像データを書き換えることを可能とし画像データの機密性を向上させることができる。
【００７６】
また、ユーザコードのような暗証番号での照合を用いたシステムも考えられる。雑誌や新聞等の情報を電子データとして登録ユーザのみに配信するようなことが考えられる。
【００７７】
一方、利用者によって表示された機密情報の保持の為、利用者が電子ペーパーを手に持たず放置した場合、ＣＰＵ１３のタイマによって時間をカウントし、一定時間後に表示された画像データを書き換えて画像データの機密保持を行うことが可能である。
【００７８】
利用者が電子ペーパーを保持しているかの検出方法の１つとして、例えば、電力供給部１１の電圧値の検出による方法がある。この方法によると、利用者が電子ペーパーを保持していない場合は電圧値の低下が想定できる。
【００７９】
ＣＰＵ１３のアナログポートは、電圧値を入力するポートである。入力された電圧は、比較回路１９によって所定の閾値と比較され、後述するＣＰＵ１３によって実行される後述する判定部１０１により一定時間における電圧が閾値より降下したか否かによって利用者が電子ペーパーを保持していないかを判定（判断）する。
【００８０】
そして、記録制御回路１４は、ＣＰＵ１３からの命令により、メモリ部１６から表示する画像データを取得して情報表示部５に画像データの書き換え制御を行うことで表示された画像データを更新し、機密の確保を可能としている。
【００８１】
画像データの書き換え方法としては、時間経過以外にも電力供給部１１の電圧値の低下を検出した場合に、表示された画像データを書き換えることも考えられる。
【００８２】
利用者が触れていない状態で、一定時間後に画像データを消去または書き換える機能を備えることで、閲覧を許可された利用者以外の人に画像データを見られることを防止することができる。
【００８３】
また、利用者の使用方法によっては、電子ペーパーに触れず、机において利用者が表示された画像データを確認する場合もあり、一定時間後に一律、表示された画像データを書き換えるとした場合は、利便性が悪い。
【００８４】
そこで、電子ペーパーを放置しても、すなわち、利用者が電力供給部１１に触れていない場合であっても、表示された画像データを書き換えるか否かを利用者が選択可能なオフ画像モードに設定する移行ＳＷを設け、この移行ＳＷからの入力をＣＰＵ１３が認識することで、表示された画像データの書き換えない制御を行うことができる。
【００８５】
また、利用者による移行ＳＷの操作方法によって、ＣＰＵ１３の入力ポートは、画像データの書き換えを実施しないコマンドを認識する。これにより、電圧低下時においても画像データを書き換えないモードへ切替えるようにする。
【００８６】
このように、利用者が触れていない状態で、一定時間後に画像データの書き換え動作の移行の有無を選択可能な構成とすることで、電子ペーパーの利便性を向上させることができる。
【００８７】
図４は、実施の形態１にかかる電子ペーパーの構成の一例を示す機能ブロック図である。図４に示すように、本実施の形態にかかる電子ペーパーにおける制御部１００は、判定部１０１と、表示制御部１０２と、認証部１０３とを主に備えており、電力供給部１１と、情報表示部５と、メモリ部１６と、固体識別部１８と、電源ＳＷ１と、ダウンロードＳＷ２と、スクロールＳＷ３とが接続されている。ここで、電源ＳＷ１、ダウンロードＳＷ２、スクロールＳＷ３、メモリ部１６、および情報表示部５については、上述したため説明を省略する。また、判定部１０１と、表示制御部１０２と、認証部１０３は、ＲＯＭ等に保存された情報表示プログラムがＣＰＵ１３により実行されることにより機能するものである。
【００８８】
判定部１０１は、利用者が電力供給部１１に触れているか否かを判定するものである。具体的には、判定部１０１は、電力供給部１１における電圧が所定の閾値より低下している場合には、利用者がいずれのＳＷにも触れておらず、電力供給部１１に触れていないと判定する。一方、判定部１０１は、電力供給部１１における電圧が所定の閾値より低下していない場合には、利用者がいずれかのＳＷに触れており、電力供給部１１に触れていると判定する。
【００８９】
表示制御部１０２は、メモリ部１６に保存されている情報表示部５へ画像データを表示する制御や、画像データをメモリ部１６に保存されている他の画像データに書き換えて表示する制御を行うものである。本実施の形態では、表示制御部１０２は、判定部１０１により利用者が電力供給部１１に触れていないと判定された場合、メモリ部１６から機密性を有していない他の画像データを読み出して、情報表示部５に表示されている画像データ、例えば機密性を有する画像データ等を、読み出した機密性を有していない他の画像データに書き換えて表示する制御を行う。ここで、機密性を有していない他の画像データとは、例えば全て暗黒の画面等、表示されていた画像データの内容を隠蔽するような機密情報が含まれていない画像データであり、機密情報が含まれていない画像データであればいずれの画像データを採用することができる。
【００９０】
また、表示制御部１０２は、電源ＳＷ１により電子ペーパーの電源を切断する旨の操作（スイッチオフの操作）を受け付けた場合、メモリ部１６から機密性を有していない他の画像データを読み出して、情報表示部５に表示されている画像データ（例えば、機密性を有する画像データ等）を、読み出した機密性を有していない他の画像データに書き換えて表示する制御を行う。このとき、表示制御部１０２は、書き換え前に表示されていた画像データをメモリ部１６に退避しておく。
【００９１】
また、表示制御部１０２は、認証部１０３による利用者認証が成功した場合、メモリ部１６からメモリ部１６に退避してある画像データを読み出して、読み出した画像データを情報表示部５に表示する制御を行う。一方、表示制御部１０２は、認証部１０３による利用者認証が成功しなかった場合、メモリ部１６に退避してある画像データを情報表示部５に表示しない制御を行う。
【００９２】
認証部１０３は、電源投入時や、情報表示部５に機密性を有していない他の画像データが表示されている際に、判定部１０１により利用者が電力供給部１１に触れていると判定された場合、利用者に対する利用者認証を行うものである。具体的には、利用者が電力供給部１１に触れた場合、電力供給部１１に設けられた固体識別部１８が利用者の個体識別情報を取得すると、認証部１０３は、取得した個体識別情報と予めメモリ等の記録媒体に登録された個体識別情報とを照合して、両者が一致するか否かを判断することにより利用者認証を行う。
【００９３】
電力供給部１１は、各ＳＷを介して利用者が触れることにより、利用者の体温による熱エネルギーを電力に変換し、変換した電力を表示制御部１０２等に供給するものである。
【００９４】
次に、以上のように構成された電子ペーパーによる各処理について説明する。まず、実施の形態１にかかる電子ペーパーによる画像データの表示処理について説明する。図５は、実施の形態１にかかる電子ペーパーによる画像データの表示処理の手順を示すフローチャートである。
【００９５】
まず、制御部１００は、電力供給部１１によって、利用者の体熱を電力に変換する熱電発電により制御部１００に電力が供給されているか否かを判断する（ステップＳ１０）。電力が供給されていない場合（ステップＳ１０：Ｎｏ）、制御部１００は、電力が供給されるまで待機する。一方、電力が供給されている場合（ステップＳ１０：Ｙｅｓ）、制御部１００は、ＬＥＤを点灯させることで、電力が供給されている旨を表示する（ステップＳ１１）。
【００９６】
次に、制御部１００は、利用者により電源ＳＷ１を押下され、電子ペーパーの電源が投入（スイッチオン）されたか否かを判断する（ステップＳ１２）。電源が投入されていない場合（ステップＳ１２：Ｎｏ）、ステップＳ１０へ戻って処理を繰り返す。一方、電源が投入されている場合（ステップＳ１２：Ｙｅｓ）、認証部１０３は、利用者認証を行う（ステップＳ１３）。
【００９７】
そして、表示制御部１０２は、認証部１０３による利用者認証が成功したか否かを判断する（ステップＳ１４）。利用者認証が成功しなかった場合、すなわち失敗した場合（ステップＳ１４：Ｎｏ）、表示制御部１０２は、利用者の非認証を情報表示部５に表示し（ステップＳ１５）、ステップＳ１０へ戻って処理を繰り返す。
【００９８】
一方、利用者認証が成功した場合（ステップＳ１４：Ｙｅｓ）、表示制御部１０２は、メモリ部１６に退避してある画像データを読み出して、読み出した画像データを情報画像部５に表示する（ステップＳ１６）。
【００９９】
そして、制御部１００は、電力供給部１１によって、熱電発電により制御部１００に電力が供給されているか否かを判断する（ステップＳ１７）。電力が供給されていない場合（ステップＳ１７：Ｎｏ）、処理Ａを行う。なお、処理Ａについては、図６を参照して後述する。
【０１００】
一方、電力が供給されている場合（ステップＳ１７：Ｙｅｓ）、制御部１００は、利用者により押下されることによる各ＳＷに対する操作が行われたか否かの判断をする（ステップＳ１８）。各ＳＷに対する操作が行われていない場合（ステップＳ１８：Ｎｏ）、操作が行われるまで待機する。
【０１０１】
一方、各ＳＷに対する操作が行われた場合（ステップＳ１８：Ｙｅｓ）、表示制御部１０２は、各操作に対応する画像データの書き換え処理を行う（ステップＳ１９）。画像データの書き換え処理が行われた後は、ステップＳ１７に戻って処理を繰り返す。
【０１０２】
次に、実施の形態１にかかる電子ペーパーによる、電力供給が低減された場合の画像データの書き換え表示処理について説明する。図６は、実施の形態１にかかる電子ペーパーによる画像データの書き換え表示処理の手順を示すフローチャートである。
【０１０３】
まず、ステップＳ１７において、電力が供給されていない場合（ステップＳ１７：Ｎｏ）、表示制御部１０２は、供給電力の電圧が低下している旨を、情報表示部５に表示する（ステップＳ３０）。そして、判定部１０１は、制御部１００に供給されている電力が、所定の閾値より低下しているか否かを判定する（ステップＳ３１）。制御部１００に供給されている電力が、所定の閾値より低下していない場合（ステップＳ３１：Ｎｏ）、判定部１０１は、利用者が電子ペーパーを保持する等、利用者の指などが電子ペーパーに触れていると判定し、処理Ｂへ進み、図５におけるステップＳ１７に戻って処理を行う。
【０１０４】
一方、制御部１００に供給されている電力が、所定の閾値より低下している場合（ステップＳ３１：Ｙｅｓ）、判定部１０１は、利用者が電子ペーパーを放置している等、利用者の指などが電子ペーパーに触れていないと判定する。そして、表示制御部１０２は、メモリ部１６から機密性を有していない他の画像データを読み出して、情報表示部５に表示されている画像データ（例えば、機密性を有する画像データ等）を、読み出した機密性を有していない他の画像データの表示に書き換える処理を行う（ステップＳ３２）。これにより、利用者が電子ペーパーを放置した場合などに表示された画像データが機密性を有する画像データであった場合には、該画像データの機密保持を行うことができる。
【０１０５】
そして、制御部１００は、ＬＥＤを消灯させることで、電力が供給されていない旨を表示する（ステップＳ３３）。
【０１０６】
次に、実施の形態１にかかる電子ペーパーによる、電源が切断された場合の画像データの書き換え表示処理について説明する。図７は、実施の形態１にかかる電子ペーパーによる画像データの書き換え表示処理の手順を示すフローチャートである。
【０１０７】
まず、制御部１００は、利用者により電源ＳＷ１を押下され、電子ペーパーの電源が切断（スイッチオフ）されたか否かを判断する（ステップＳ５０）。電源が切断されていない場合（ステップＳ５０：Ｎｏ）、ステップＳ５０へ戻って処理を繰り返す。
【０１０８】
一方、電源が切断されている場合（ステップＳ５０：Ｙｅｓ）、表示制御部１０２は、メモリ部１６から機密性を有していない他の画像データを読み出して、情報表示部５に表示されている画像データ（例えば、機密性を有する画像データ等）を、読み出した機密性を有していない他の画像データの表示に書き換える処理を行う（ステップＳ５１）。これにより、電源が切断された場合に、例えば機密性を有する画像データが表示されていても、該画像データの表示状態が維持されることがないため、該画像データの機密保持を行うことができる。
【０１０９】
そして、制御部１００は、ＬＥＤを消灯させることで、電力が供給されていない旨を表示する（ステップＳ５２）。
【０１１０】
このように、実施の形態１にかかる電子ペーパーは、電源投入時に行われる利用者認証に成功した場合に、画像データ（例えば、機密性を有する画像データ等）を表示する。そして、電力供給部１１から供給される電力が所定の閾値より低下している場合、または電源が切断された場合には、表示されている画像データを、機密性を有していない他の画像データに書き換えて表示する。従って、電子ペーパーを放置した場合、および電源を切断した場合には、機密性のある情報が開示されることがなく、機密情報の漏洩を防止することができる。
【０１１１】
また、実施の形態１にかかる電子ペーパーは、利用者に保持されるとともに各種操作が行われる際に、電力供給部１１が利用者の体熱を電力に変換する熱電発電を行い、変換された電力が制御部に供給されて各種処理を行っている。従って、バッテリを搭載したり、外部電源に接続しなくとも電力の供給が可能となり、かつバッテリの充電作業などを行う必要がなくなるため、電子ペーパーは小型で軽量となり、可搬性および利便性を向上させることができる。
【０１１２】
（実施の形態１の変形例）
実施の形態１にかかる電子ペーパーは、供給電力が所定の閾値より低下している場合、または電源が切断された場合に、画像データの書き換え処理を行っているが、以下のような場合に書き換え処理を行ってもよい。
【０１１３】
電子ペーパーに、利用者により各ＳＷを介して電力供給部１１に触れたことを検知するセンサ、例えば、圧電センサなどを備える。また、判定部１０１が、該センサにより一定時間利用者の接触を検知しなかった場合に、利用者が電力供給部１１に触れていないと判定し、センサにより利用者の接触を検知している場合、利用者が電子ペーパーを保持し、電力供給部１１に触れていると判定する構成とする。そして、利用者が電力供給部１１に触れていない場合は、画像データの書き換え処理を行うようにしてもよい。
【０１１４】
次に、電子ペーパーにセンサを設けた場合において、電子ペーパーによる画像データの書き換え表示処理について説明する。図８は、実施の形態１の変形例にかかる電子ペーパーによる画像データの書き換え表示処理の手順を示すフローチャートである。
【０１１５】
まず、判定部１０１は、利用者により電力供給部１１に接触されているか否かを判定する（ステップＳ７０）。利用者により電力供給部１１に接触されている場合、すなわちセンサにより利用者の接触を検知している場合（ステップＳ７０：Ｎｏ）、ステップＳ７０に戻って処理を繰り返す。
【０１１６】
一方、利用者により電力供給部１１に接触されていない場合、すなわちセンサにより利用者の接触を検知していない場合（ステップＳ７０：Ｙｅｓ）、判定部１０１は、一定時間利用者の接触があるか否かを判定する（ステップＳ７１）。一定時間内に利用者の接触があった場合（ステップＳ７１：Ｎｏ）、ステップＳ７０に戻って処理を繰り返す。
【０１１７】
一方、一定時間以上利用者の接触がなかった場合（ステップＳ７１：Ｙｅｓ）、表示制御部１０２は、メモリ部１６から機密性を有していない他の画像データを読み出して、情報表示部５に表示されている画像データ（例えば、機密性を有する画像データ等）を、読み出した機密性を有してない他の画像データの表示に書き換える処理を行う（ステップＳ７２）。これにより、センサによって利用者が触れていないと判定された場合に、機密性を有する画像データが表示されていても、該画像データの表示状態が維持されることがないため、該画像データの機密保持を行うことができる。
【０１１８】
そして、制御部１００は、ＬＥＤを消灯させることで、電力が供給されていない旨を表示する（ステップＳ７３）。
【０１１９】
このように、実施の形態１の変形例における電子ペーパーは、利用者が電力供給部１１に触れていない場合は、表示されている画像データ（例えば、機密性を有する画像データ等）を、機密性を有していない他の画像データに書き換えて表示する。従って、電子ペーパーを放置した場合など、利用者が電力供給部１１に一定時間触れていない場合には、機密性のある情報が開示されることがなく、機密情報の漏洩を防止することができる。なお、この一定時間は、利用者の所望の時間を設定することができるため、利便性がより向上する。
【０１２０】
（実施の形態２）
実施の形態１にかかる電子ペーパーでは、電力供給部１１で変換されて供給された電力を用いて画像データの表示処理を行っていた。これに対し、本実施の形態では、電力供給部１１で変換された電力を蓄電しておき、状況に合わせて、電力供給部１１から供給された電力または蓄電された電力のいずれかの電力を用いて画像データの表示処理を行うものである。
【０１２１】
電子ペーパーに画像データを表示する場合、表示される画像データのデータ数が増加するとともに、表示制御を行う動作電力も増加することが懸念されている。従って、本実施の形態では、連続操作や応答性を向上させるためには、熱電発電により発生する電力を蓄電する蓄電部を備えることで、大きな電力を得ることが可能となる。
【０１２２】
また、利用者による電子ペーパーへの操作は、主に画像データの書き換え操作であるため、殆どの時間は電力を必要としていない。そのため、電力を使用していない殆どの時間では、発電した電力が未使用となってしまう。
【０１２３】
そこで、電力を必要としていない間に電力供給部１１において変換された電力を蓄電部に蓄えておくことで、一度に大きな電力を必要とする連続制御時に、応答性よく電力を供給することが可能となる。
【０１２４】
図９は、実施の形態２にかかる電子ペーパーの構成の一例を示す図である。図９では、ＣＰＵ１３に接続せれた電源切替回路２３および、該電源切替回路２３に接続された蓄電部２４以外は、実施の形態１と同様であるため説明を省略する。
【０１２５】
蓄電部２４は、電力供給部１１により変換された電力を蓄電するものであり、例えば、キャパシタなどが考えられる。これは、画像データの書き換え時には、一時的に電力を必要としているため、キャパシタのような、低容量で小型であり、有害物質を含まないものが有効と考えられる。
【０１２６】
電力供給部１１と蓄電部２４とは、電源切替回路２３により接続されている。
【０１２７】
電源切替回路２３は、電力供給部１１により変換された電力の電圧と蓄電部２４に蓄積された電力の電圧とを比較して、電圧の高い方からＣＰＵ１３へ電力を供給するものである。
【０１２８】
また、蓄電部２４の電圧が、電力供給部１１の電力の電圧より低い場合は、電力供給部１１より蓄電部２４への充電制御動作となる。
【０１２９】
つまり、熱発電素子６からの発生電力を蓄える蓄電部２４と、電源切替回路２３とを備えたことで、電子ペーパーが動作するための電力を必要としないときは、利用者からの熱発電を蓄電部２４に蓄電することが可能である。
【０１３０】
また、大きな電力供給を必要とする大量画像データの処理動作制御においては、蓄電部２４へ蓄えた電力と、電力供給部１１の電力とを併せて供給することができる。
【０１３１】
なお、電源切替回路２３は、利用者により各ＳＷの少なくともいずれか１つを連続的に操作された際には、蓄電部２４と電力供給部１１との両方から、制御部１００に電力を供給してもよい。
【０１３２】
なお、実施の形態１、２の電子ペーパーで実行される情報表示プログラムは、ＲＯＭ等に予め組み込まれて提供される。
【０１３３】
実施の形態１、２の電子ペーパーで実行される情報表示プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１３４】
さらに、実施の形態１、２の電子ペーパーで実行される情報表示プログラムを、インターネット等のネットワークに接続されたコンピュータ上に格納し、ネットワーク経由でダウンロードさせることにより提供するように構成しても良い。また、実施の形態１、２の電子ペーパーで実行される情報表示プログラムをインターネット等のネットワーク経由で提供または配布するように構成しても良い。
【０１３５】
実施の形態１、２の電子ペーパーで実行される情報表示プログラムは、上述した各部（判定部１０１、表示制御部１０２、認証部１０３）を含むモジュール構成となっており、実際のハードウェアとしてはＣＰＵ（プロセッサ）が上記ＲＯＭから情報表示プログラムを読み出して実行することにより上記各部が主記憶装置上にロードされ、判定部１０１、表示制御部１０２、認証部１０３が主記憶装置上に生成されるようになっている。
【図面の簡単な説明】
【０１３６】
【図１】実施の形態１にかかる電子ペーパーの外部構成の一例を示す外観図である。
【図２】実施の形態１にかかる電子ペーパーの内部構成の一例を示す概略図である。
【図３】実施の形態１にかかる電子ペーパーのハードウェア構成の一例を示す図である。
【図４】実施の形態１にかかる電子ペーパーの構成の一例を示す機能ブロック図である。
【図５】実施の形態１にかかる電子ペーパーによる画像データの書き換え表示処理の手順を示すフローチャートである。
【図６】実施の形態１にかかる電子ペーパーによる画像データの書き換え表示処理の手順を示すフローチャートである。
【図７】実施の形態１にかかる電子ペーパーによる画像データの書き換え表示処理の手順を示すフローチャートである。
【図８】実施の形態１の変形例にかかる電子ペーパーによる画像データの書き換え表示処理の手順を示すフローチャートである。
【図９】実施の形態２にかかる電子ペーパーの構成の一例を示す図である。
【符号の説明】
【０１３７】
１    電源ＳＷ
２    ダウンロードＳＷ
３    スクロールＳＷ
４    電源状態表示部
５    情報表示部
６    熱発電素子
７    熱伝導体
８    ヒートシンク
９    冷接点
１０    温接点
１１    熱電発電部（電力供給部）
１２    リセット回路
１３    ＣＰＵ
１４    記録制御回路
１６    メモリ部
１７    外部Ｉ／Ｆ回路部
１８    個体識別部
２２    電圧表示部
【図１】
2008292980.tif 000003
【図２】
2008292980.tif 000004
【図３】
2008292980.tif 000005
【図４】
2008292980.tif 000006
【図５】
2008292980.tif 000007
【図６】
2008292980.tif 000008
【図７】
2008292980.tif 000009
【図８】
2008292980.tif 000010
【図９】
2008292980.tif 000011